(57)【要約】      （修正有）【課題】機能的にも優れ、なおかつ、デザイン的にも優れ、そして、使用する個人の嗜好にあった選択を可能とするゴム手袋を提供する。【解決手段】ゴム手袋に、美しい彩色、模様、絵柄を施す。無地の場合、豊富なカラーバリエーションを施す。模様及び絵柄の場合、縞、格子、水玉、ハート、星、花、動物などあらゆる絵柄を施す。それら摸様及び絵柄、はシルクスクリーン印刷、蓄光印刷、昇華印刷、オフセット印刷などの印刷により、および絵柄を印刷したシートの貼着および圧着により、ならびに、絵柄をプリントした生地で出来た手袋に透明コーティングする事により施す。【選択図】図１
0003110319.tif 000002
【実用新案登録請求の範囲】
【請求項１】
炊事用及びその他の作業用のゴム手袋（通称ゴム手袋というが材質にはこだわらない）の甲の部分または全体に、美しい彩色ならびに模様及び絵柄をシルクスクリーン印刷、蓄光印刷、昇華印刷、オフセット印刷などの技術により印刷を施したゴム手袋及びゴム手袋に模様及び絵柄を印刷したシール等を貼着及び圧着により施したゴム手袋及び絵柄をプリントした生地に透明コーティングを施したゴム手袋。
【考案の詳細な説明】
【技術分野】
【０００１】本考案は、炊事、洗濯、掃除、園芸などのとき、水や洗剤などから、手を保護する為に使用するゴム手袋に、色彩および絵柄を施したゴム手袋に関する物である。
【背景技術】
【０００２】従来は、ゴム手袋に関しては、様々なものが実用化されてきた。素材に関しては、天然ゴム、合成ゴム、ビニール等がある。厚さに関しては、厚みのあるものから薄いものまで色々なタイプがある。また、内側に繊維加工を施したもの、滑り難くするため、手の平側に、凹凸を施したもの、水の進入防止のため、口の部分を絞ったものなどもある。何れも、作業性、堅牢性、簡便性などの機能性が重要視されたものであった。【０００３】然しながら、これまでのものは、デザイン性が見落されてきた。色彩的には、淡い色が多く使用されてきた。その他に、赤、青、緑、ピンクなどもあるのだが、何れも単色によるものであり、また、視覚的に、美しさを感じさせる色彩とはいい難いものであった。
【考案の開示】
【考案が解決しようとする課題】
【０００４】これまでのゴム手袋は、水作業時、水や洗剤などから手を保護する道具として使用されてきた。特に、手あれを気にする女性にとっては、必需品であった。そういったゴム手袋の性質上、作業性、堅牢性、簡便性などの機能性において改良がなされ、実用化されてきた。然しながら、デザイン性においては、あまり変化が見受けられない。購入時における選択基準に、サイズ、価格、堅牢性、簡便性などが挙げられるのだが、デザイン性といった選択肢は、極めて僅かでしかなかった。しかし、生活水準が高くなり、美にたいする意識も高くなっている現代において、日常生活の中で使用する生活雑貨にもこだわりをもつ人は、以前と比較して、年齢に関係なく増えている。それゆえ、そういった今の時代に、機能性にも優れ、デザイン性にも優れ、そして、使用する個人の嗜好にあった選択を可能とするゴム手袋が望まれている。本考案は、これまでのゴム手袋に欠如していた、デザイン性を提案する事により、これまでのゴム手袋の欠点を解決するものである。
【考案を解決するための手段】
【０００５】本考案は、ゴム手袋に、美しい彩色、模様、絵柄を施すことで、趣味嗜好を表現する生活雑貨としてのゴム手袋を提供するものである。模様及び絵柄は、シルクスクリーン印刷、蓄光印刷、昇華印刷、オフセット印刷などの印刷により施す。また、絵柄を印刷したシートの貼着および圧着、といった方法で施す。それから、絵柄をプリントした生地で出来た手袋の表面に透明なビニールかゴムをコーティングする事により、絵柄入りゴム手袋を提供する。
【考案の効果】
【０００６】本考案により、実用品としてのゴム手袋に、インテリア小物として、また、生活雑貨としての機能を与える事ができる。また、購入時の、選択基準として、機能性や価格などとならび、デザイン性を付加できる。このことにより、個人の趣味嗜好に合わせた選択の愉しみを付加できる。それから、雑貨店においての、日用品のディスプレーとしての使用も、オシャレな演出を可能とするものである。
【考案を実施するための最良の形態】
【０００７】以下、本考案の実施の形態について説明する。色については、これまでの様な野暮ったい色ではなく、こだわりのあるおしゃれな色にする。例えば、目を見張るような真紅、墨色、真青、オレンジ色、ショッキングピンク、こげ茶色など、独自の色で展開する。絵柄は、縞、チェック、ハート、水玉、花柄、星、動物などを施す。
【実施例１】
【０００８】無地のゴム手袋は、カラーバリエーション豊富に、色を施す。
【実施例２】
【０００９】シルクスクリーン印刷により絵柄を施す。
【実施例３】
【００１０】蓄光印刷により絵柄を施す。
【実施例４】
【００１１】昇華印刷により絵柄を施す。
【実施例５】
【００１２】オフセット印刷により絵柄を施す。
【実施例６】
【００１３】絵柄を印刷したシートを貼着または圧着することにより絵柄を施す。
【実施例５】
【００１４】絵柄をプリントした生地の上に透明ゴムをコーティングする事で絵柄を施す。
【産業上の利用可能性】
【００１５】作業用ゴム手袋を生産しているメーカーに、おしゃれな小物としてのゴム手袋の生産を加える事で、その生産は伸びると思われる。
【図面の簡単な説明】
【００１６】
0003110319.tif 000003
【図６】  無地で、カラーバリエーション豊富に展開する場合のものである。
【図１】
0003110319.tif 000004
【図２】
0003110319.tif 000005
【図３】
0003110319.tif 000006
【図４】
0003110319.tif 000007
【図５】
0003110319.tif 000008
【図６】
0003110319.tif 000009
【手続補正書】
【提出日】平成16年9月6日(2004.9.6)
【手続補正１】
【補正対象書類名】実用新案登録請求の範囲
【補正対象項目名】全文
【補正方法】変更
【補正の内容】
【実用新案登録請求の範囲】
【請求項１】
炊事用及びその他の作業用のゴム手袋（通称ゴム手袋というが材質にはこだわらない）の甲の部分または全体に、美しい彩色ならびに模様及び絵柄をシルクスクリーン印刷、蓄光印刷、昇華印刷、オフセット印刷などの技術により印刷を施したゴム手袋及びゴム手袋に模様及び絵柄を印刷したシール等を貼着及び圧着により施したゴム手袋及び絵柄をプリントした生地に透明コーティングを施したゴム手袋。
【請求項１】
炊事用及びその他の作業用のゴム手袋の甲の部分または全体に、美しい彩色ならびに模様及び絵柄をシルクスクリーン印刷、蓄光印刷、昇華印刷、オフセット印刷などの技術により印刷を施したゴム手袋及びゴム手袋に模様及び絵柄を印刷したシール等を貼着及び圧着により施したゴム手袋及び絵柄をプリントした生地に透明コーティングを施したゴム手袋。
【手続補正書】
【提出日】平成17年1月7日(2005.1.7)
【手続補正１】
【補正対象書類名】実用新案登録請求の範囲
【補正対象項目名】全文
【補正方法】変更
【補正の内容】
【実用新案登録請求の範囲】
【請求項１】
炊事用及びその他の作業用のゴム手袋の甲の部分または全体に、美しい彩色ならびに模様及び絵柄をシルクスクリーン印刷、蓄光印刷、昇華印刷、オフセット印刷などの技術により印刷を施したゴム手袋またはゴム手袋に模様及び絵柄を印刷したシール等を貼着及び圧着により施したゴム手袋または絵柄をプリントした生地に透明コーティングを施したゴム手袋。